(57)【要約】本発明は、臭気吸着タンポンまたは関連する生理用品を製造するための方法である。その方法は、好ましくは押し出しにより複数の繊維（２６）を形成する工程、および繊維（２６）を形成するプロセスが実施されている間に１以上の臭気吸着材料を繊維（２６）の間隙に含浸させまたは強制的に入れまたは挿入する工程を含む。その後、そのように形成された複数の繊維（２６）は、最終製品のデバイスを製造するために適切且つ簡便に集結される。好ましくは、１以上の臭気吸着材料は、液体形態にあり、および／または天然由来である。
2005518911.tif 000002
【特許請求の範囲】
【請求項１】
生理用品／タンポン製品を製造する方法であって、
（ａ）複数の繊維を形成し、この形成の過程中に、前記繊維中にグリセリン、グリセリン化合物、アルデヒド、天然油、可溶性天然化合物の溶液、天然の植物およびハーブエキス、天然に産出する消臭活性成分、酸、塩基、オキシダント、キレート剤、エステル、マスキング剤、感覚受容器変質剤、酸化剤、生物学的薬剤、界面活性剤、表面活性ポリマー、およびそれらのいずれかの混合物からなる群より選択される１以上の臭気吸着材料を含ませる工程、並びに
（ｂ）前記複数の繊維を生理用品／タンポン製品に形成する工程
を備える方法。
【請求項２】
１以上の臭気吸着材料が液体形態にある請求項１記載の方法。
【請求項３】
１以上の臭気吸着材料が天然由来である請求項１記載の方法。
【請求項４】
１以上の臭気吸着材料が天然由来である請求項２記載の方法。
【請求項５】
生理用品／タンポン製品を製造する方法であって、
（ａ）ビスコース溶液から複数の繊維を形成し、この形成の過程中に、前記繊維中にグリセリン、グリセリン化合物、アルデヒド、天然油、可溶性天然化合物の溶液、天然の植物およびハーブエキス、天然に産出する消臭活性成分、酸、塩基、オキシダント、キレート剤、エステル、マスキング剤、感覚受容器変質剤、酸化剤、生物学的薬剤、界面活性剤、表面活性ポリマー、およびそれらのいずれかの混合物からなる群より選択される１以上の臭気吸着材料を含ませる工程、並びに
（ｂ）前記複数の繊維を生理用品／タンポン製品に形成する工程
を備える方法。
【請求項６】
前記繊維を押し出しするための装置に前記１以上の臭気吸着材料を含むビスコース溶液をポンプ輸送する工程をさらに含み、それにより前記１以上の臭気吸着材料を繊維中に含ませる請求項５記載の方法。
【請求項７】
前記ビスコース溶液の押し出しの前に前記１以上の臭気吸着材料を前記ビスコース溶液に加える請求項６記載の方法。
【請求項８】
前記繊維がレーヨンである請求項５記載の方法。
【請求項９】
前記１以上の臭気吸着材料が液体形態にある請求項５記載の方法。
【請求項１０】
前記１以上の臭気吸着材料が天然由来である請求項５記載の方法。
【請求項１１】
前記１以上の臭気吸着材料が天然由来である請求項９記載の方法。
【発明の詳細な説明】
【技術分野】
【０００１】
本発明は、生理用品とタンポンデバイスを製造する方法に関し、特に臭気吸収性タンポンを製造する通常の方法を極めて単純化する方法に関する。
【背景技術】
【０００２】
本出願の譲受人並びに多数の生理またはタンポンデバイスの他のメーカーは、現在、非消臭性生理用品またはタンポン中で臭気吸着を達成するようなデバイスを販売している。しかしながら、そのような吸着性は、典型的には、アクリルバインダーにより不織布材料に付着する臭気吸着材料を含むストリップにより提供されている。その臭気吸着ストリップは、レーヨンパッドとともにタンポン成形機に供給される。次いで、パッドとストリップがタンポンプレジット（ｐｌｅｄｇｅｔ）に成形される。代わりに、臭気吸着材料が水と混ぜられ（例えば、ビーガム（Ｖｅｅｇｕｍ）のような懸濁助剤が用いられ得る）、タンポンプレジットへの形成の前にレーヨンパッドに直接スラリーとして加えられる。
【０００３】
記載されたような臭気吸着ストリップの追加はコスト高になることは当業者には明白であろう。ストリップの追加に対するよりコストのかからない代替策は、例えば、臭気吸着材料を粉末で、またはスラリーとしてタンポンに直接適用することである。しかしながら、この、そして同様の低コストの代替策は、技術的により困難である。というのは、それらは、タンポン形成プロセスに追加工程をもたらし、タンポン形成装置上に蓄積し得る残滓を残す可能性を有するからである。
【０００４】
発見され、認識されてきたことは、臭気吸着ストリップの追加に対する可能な代替として現在行われている技術的に困難で問題のある技術が、より効率的な方法の採用により回避され得ると言うことである。
【０００５】
本発明の理解と認識についての背景として、以下の特許文献１、特許文献２、特許文献３、および特許文献４に参照がなされ得る。それらは一般的に、１種または他種の含浸された繊維材料を製造するための方法および装置に関するけれども、それらは、本発明のコンセプトに特有である事柄、すなわち、有意な利点が、生理／タンポンデバイスの製造に含まれる通常の工程に対し、当該プロセスの初めに、マトリックス繊維が形成または加工される間にマトリックス繊維中に臭気吸着材料を埋め込む工程を独特に組み合わせることにより得られると言うことを認識させえない。言い換えれば、タンポンプレジットの実際の形成または製造の前に、臭気吸着材料は、プレジットの繊維中に配置されるか没入される。
【０００６】
記載される独特の工程に由来する実質的な利点は、最終的な生理／タンポン製品の中に吸着剤の均一な分布が存在すると言うことである。この結果は、通常の方法の使用により得られる結果ときわめて対照的である。
【特許文献１】米国特許第３，２２２，８５７号
【特許文献２】米国特許第３，３３９，３５７号
【特許文献３】米国特許第３，４７９，８１１号
【特許文献４】米国特許第５，４６０，８８１号
【発明の開示】
【発明が解決しようとする課題】
【０００７】
本発明の目的は、臭気吸着性タンポンを製造する方法を単純化することである。
【０００８】
本発明のもう１つの目的は、粉末または液体形態のいずれかの１以上の細かく分割された臭気吸着材料が繊維を形成するプロセスの間に繊維に直接組み込まれるような方法を提供することである。
【０００９】
本発明のさらにもう１つの目的は、１以上の臭気吸着材料を有する繊維が続いて生理／タンポンデバイスを形成するために用いられる方法を提供することである。
【００１０】
本発明の更なる目的は、１以上の臭気吸着材料が液体形態にある方法を提供することである。
【００１１】
本発明の更なる目的は、１以上の臭気吸着材料が天然由来である方法を提供することである。
【課題を解決するための手段】
【００１２】
本発明の基本的特徴は、生理／タンポンデバイスを製造する方法およびその方法により製造される製品にある。簡潔にいえば、その方法は、好ましくは押し出しにより、複数の繊維を形成する工程、および繊維を形成するプロセスが実施されている間に１以上の臭気吸着材料を繊維の間隙（ｉｎｔｅｒｓｔｉｃｅ）に含浸させまたは強制的に入れまたは挿入する工程を含む。その後、そのように形成された複数の繊維は、最終製品のデバイスを製造するように適切にかつ簡便に集結される。好ましくは、１以上の臭気吸着材料は、液体形態にあり、および／または天然に産出する。
【００１３】
本発明の他のおよび更なる目的、利点および特徴は、同様の部分が同様の数字で示される添付の図面とともに以下の明細書を参照することにより理解され得る。
【発明を実施するための最良の形態】
【００１４】
図１を参照すると、本発明の方法を実施するための好ましい構成が提供される。特に、図１は、タンポンに用いるための繊維が、この繊維が生成されているとき１以上の臭気吸着材料によりその間隙に含浸されるか、強制的に入れられるか、または挿入される新規なプロセスを例示する。この方法は、プレジットなどを繊維から形成し、製造の後の段階で繊維を臭気吸着材料に含浸することとは異なる。
【００１５】
図１には、一般的に、本発明の基本目的が実現される参照番号１０により表されている装置が示されている。装置１０は、１以上の臭気吸着材料が添加されているビスコース溶液１４を収容するタンクまたは容器１２を有する。ビスコース溶液１４は、タンク１２および第２のタンク２２に接続された押し出しポンプのような通常の装置１６により、タンク２２に収容された酸浴２０中に配置された放出装置１８までポンプ輸送される。好ましくは、放出装置１８は、複数の開孔２４を有する。
【００１６】
押し出しポンプ１６の操作は、ビスコース溶液１４などを開孔２４を通し、酸浴２０に入らせるのに十分な圧力を作り出し、それにより、生理用品を製造するためにさらに通常の手法により加工されうる個々のレーヨン繊維２６を提供する。
【００１７】
１以上の臭気吸着材料は、臭気を吸着することが可能であるいずれの材料でもあり得る。そのような材料は、本質的に、繊維を形成する溶液に含まれ得るように、液体におけるように粒状物質を持たないか、またはゼオライトにおけるように相当量の微粒状物質を有し得る。１以上の臭気吸着材料が液体形態にあるか、および／または天然由来のものであることが好ましい。
【００１８】
本発明の方法に用いられ得る１以上の臭気吸着材料には、例えば、１以上のグリセリン、グリセリン化合物、アルデヒド、天然油、可溶性天然化合物の溶液、天然の植物およびハーブエキス、天然に産出する消臭活性成分、酸、塩基、オキシダント、キレート剤、エステル、マスキング剤、感覚受容器変質剤（ｓｅｎｓｏｒｙ  ｒｅｃｅｐｔｏｒ  ａｌｔｅｒａｎｔ）、酸化剤、生物学的製剤、界面活性剤、表面活性ポリマー、またはそれらのいずれかの混合物が含まれ得る。
【００１９】
本発明での使用のための適切なグリセリン化合物には、例えば、グリコール酸、グリセリンステアレート、グリセリンモノラウレート、グリセリンモノアルキルエーテル、またはそれらのいずれかの組み合わせが含まれる。
【００２０】
アルデヒドまたは１のクラス（クラスＡ）から選択されるアルデヒドおよび第２のクラス（クラスＢ）から選択されるアルデヒドを含むアルデヒド組成物は、個別に採用されたそれぞれのクラスのアルデヒド組成物の消臭特性より明らかに優れた注目すべき消臭特性を有することが見出されている。アルデヒド技術は、低い蒸気圧の材料を用いることからなる。効率は、臭気を中和する様々の方法組み合わせの結果であると考えられ、それらの方法には、悪臭分子との化学反応、官能成分の緩やかな蒸発、および部分的なマスキング効果が含まれる。悪臭の存在下で、反応生成物は、以下のことの１つ：（１）新たな分子がより揮発性であり、急速に蒸発する、（２）新たな分子がはるかに大きく、実質的に非揮発性であり、それにより鼻が存在を感知できない、または（３）化学的に異なる新たな分子がより快適な臭気プロフィールを有する、が起こるように化学的に変質する。
【００２１】
適切なクラスＡアルデヒドには、例えば、１以上の非環式脂肪族アルデヒド、非テルペン系脂肪族アルデヒド、非テルペン系脂環式アルデヒド、テルペン系アルデヒド、芳香族基により置換された脂肪族アルデヒド、２官能性アルデヒド、またはそれらのいずれかの混合物が含まれ得る。より具体的には、適切なクラスＡアルデヒドには、例えば、デカナール、リラール、トリパール、またはそれらのいずれかの混合物が含まれ得る。
【００２２】
適切なクラスＢアルデヒドには、例えば、アルデヒド官能基のアルファ位の炭素により担持される不飽和を１以上有するアルデヒド、芳香族環と共役する、アルデヒド官能基のアルファ位に不飽和を有するアルデヒド、当該官能基が芳香族環により担持されるアルデヒド、またはそれらのいずれかの混合物が含まれ得る。例えば、クラスＢアルデヒドには、ベータ−アリール置換されたアルファ−，ベータ−不飽和アルデヒドを含むアルファ−，ベータ−不飽和アルデヒド、芳香族アルデヒド、またはそれらのいずれかの混合物が含まれ得る。より具体的には、適切なクラスＢアルデヒドには、例えば、シトラール、ベンズアルデヒド、バニリンまたはそれらのいずれかの混合物が含まれ得る。
【００２３】
アルデヒド組成物は、２つのクラスのそれぞれが含まれている限り、３以上のアルデヒドを含み得る。好ましくは、クラスＡとクラスＢのアルデヒドは、約８０／２０ないし約２０／８０の比で存在する。
【００２４】
天然油は、本発明において適切な臭気吸着材料として用いられ得る。天然油は、悪臭分子を抑制し、悪臭を制圧する快適臭を付与する効果を有し得る。例として、本発明における使用にとって適切な天然油は、ホワイトセダーリーフ（ｗｈｉｔｅ  ｃｅｄａｒ  ｌｅａｆ）油である。
【００２５】
悪臭打消し作用を有し得るいずれかの可溶性天然化合物の溶液もまた本発明で用いられ得る。そのような可溶性天然化合物の１例は、クロロフィルである。
【００２６】
天然の植物およびハーブエキスもまた本発明において悪臭打消し材料として用いられ得る。例として、適切な天然エキスには、緑茶エキス、グレード（Ｇｌａｄｅ；登録商標）「ニュートラライザー（Ｎｅｕｔｒａｌｉｚｅｒ）」（植物とハーブエキスの登録混合物）またはそれらのいずれかの混合物が含まれ得る。
【００２７】
天然に産出する消臭活性材料もまた悪臭を打消すために本発明において用いられ得る。適切な天然産出消臭活性成分には、例えば、ファルネソール、フェノキシエタノール、アルカリローダニド、リナロール、シトロネロール、ゲラニオール、フェネチルアルコールまたはそれらのいずれかの混合物が含まれる。
【００２８】
１以上の酸が、悪臭の塩基性成分を中和するために作用する悪臭打消し物質として用いられ得る。適切な酸には、例えば、クエン酸、酢酸、他の使用して安全である有機酸またはそれらのいずれかの混合物が含まれる。
【００２９】
１以上の塩基が、悪臭の酸成分を中和するために作用する悪臭打消し物質として用いられ得る。適切な塩基には、例えば、アンモニア、トリエタノールアミンまたはそれらのいずれかの混合物が含まれる。
【００３０】
硫化物を含む化合物と反応して悪臭を減少させる１以上のオキシダントもまた本発明において用いられ得る。例として、適切なオキシダントには、アスコルビン酸または他の公知の酸化材料が含まれ得る。
【００３１】
いずれかの金属成分と反応し、悪臭を減少させるか除去する１以上のキレート剤が本発明において用いられ得る。適切なキレート剤には、例えば、アスコルビン酸または例えばＥＤＴＡのような他の公知のキレート剤が含まれ得る。
【００３２】
反応性二重結合を有するある種のエステルは、悪臭を減らす準汎用能力を有することが見出されている。本発明における使用にとって適切なエステル化合物には、例えば、ＮＥＵＴＲＯＡＩＲ（登録商標）（クロトン酸ゲラニルとフマル酸ジヘキシルとの混合物）またはＭＥＴＡＺＥＮＥ（登録商標）（メタクリル酸ラウリル）が含まれる。
【００３３】
マスキング剤は、本発明における悪臭打消し材料として用いられ得る。悪臭をマスキングすることが可能ないずれの薬剤も用いられ得る。しかしながら、典型的には、例えば、香料または芳香剤が悪臭をマスキングまたは隠蔽するために用いられる。
【００３４】
身体の感覚受容器を変質させることが可能である化合物もまた本発明において用いられ得る。悪臭打消し物質は、多くの公知の悪臭原因化学物質と共通の受容器部位の領域を共有する。大気中に十分な濃度があれば、悪臭打消し物質は受容器たんぱく質と相互作用し、それらを悪臭に対して無力にする。それゆえ、受容器と悪臭の相互作用無しでは、鼻による悪臭の知覚は不可能である。例として、ＢＢＡにより製造されるＶｅｉｌｅｘ（登録商標）（登録成分）は、本発明における使用にとって適切なそのような悪臭打消し物質である。
【００３５】
１以上の酸化剤が、悪臭の成分を酸化する作用をして悪臭打消し物質として用いられ得る。例えば過酸化水素のような使用にとって安全であるいずれの適切な酸化剤も本発明の吸収製品において用いられ得る。
【００３６】
１以上の生物学的薬剤が本発明の吸収製品における悪臭打消し物質として用いられ得る。適切な生物学的薬剤には、例えば、細菌の胞子、酵素またはそれらのいずれかの混合物が含まれる。
【００３７】
１以上の界面活性剤が本発明の吸収製品における悪臭打消し物質として用いられ得る。適切な界面活性剤には、例えば、アニオン性、ノニオン性、カチオン性、双性、シリコーンまたはそれらの混合物が含まれる。
【００３８】
１以上の表面活性ポリマーが本発明の吸収製品において悪臭打消し物質として用いられ得る。適切な表面活性ポリマーには、例えば、アクリレートポリマーが含まれる。
【００３９】
本発明の本明細書で提供される記載から、第１の例で繊維に直接臭気吸着材料を含ませることの大きな長所と利益は、生理用品の加工の間のダスチングの可能性と従来の方法で通常用いられるバインダーおよび／または増粘剤の必要の両方をなくすことであると理解され得る。すでに記載したように、この方法はより有効に行われた。と言うのは、製造手順の最終段階で通常実施される含浸工程はすでに達成され、それによりすでに検討された残滓の蓄積の問題はなくなっているからである。
【００４０】
本発明の方法の最終工程は、最終製品を製造するための、記載されているような形成され、処理された複数の個々の繊維２６を集結する通常の工程である。したがって、レーヨンか他の材料かに関わらず、すでに含浸された繊維は、レーヨンおよび／または綿繊維が公知のタンポンおよび他の生理用品において通常の方法により集結されるように集結される。この集結は、従来の不織布技術により達成され得る。
【００４１】
本発明のこの記載では、その好ましい態様が特別に例示されているけれども、別の技術も、繊維が形成または加工される間繊維中に臭気吸着材料を含ませる本質的な目的を達成するために利用され得ることが理解されるであろう。
【００４２】
従って、本発明は、その好ましい形態を特別に参照して記載されてきたが、特許請求の範囲に規定される本発明の精神および範囲から逸脱することなく様々の変更および修正がなされ得ることが明らかであろう。
【図面の簡単な説明】
【００４３】
【図１】図１は、本発明の実施で用いられる装置の斜視図である。
【符号の説明】
【００４４】
１０…装置、１２，２２…タンク、１４…ビスコース溶液、１８…放出装置、２０…酸浴、２６…レーヨン繊維
【図１】
2005518911.tif 000003
【手続補正書】
【提出日】平成16年8月19日(2004.8.19)
【手続補正１】
【補正対象書類名】特許請求の範囲
【補正対象項目名】全文
【補正方法】変更
【補正の内容】
【特許請求の範囲】
【請求項１】
生理用品／タンポン製品を製造する方法であって、
（ａ）ビスコース溶液から複数の繊維を形成し、この形成の過程中に、前記複数の繊維中に細かく分割された臭気吸着材料を含ませる工程、
（ｂ）前記複数の繊維を集結して最終生理用品／タンポン製品に形成する工程
を備える方法。
【請求項２】
前記ビスコース溶液の押し出しの前に臭気吸着材料を前記ビスコース溶液に加える工程を含む請求項１記載の方法。
【請求項３】
前記繊維を押し出しするための装置に前記臭気吸着材料を含むビスコース溶液をポンプ輸送する工程をさらに含み、それにより前記臭気吸着材料を繊維中に含ませる請求項２記載の方法。
【請求項４】
前記複数の繊維がレーヨンである請求項５記載の方法。
【請求項５】
前記臭気吸着材料がゼオライトである請求項４記載の方法。
【請求項６】
前記ゼオライトがクリノプチロライト種である請求項５記載の方法。
【国際調査報告】
2005518911.tif 000004